(57)【要約】      （修正有）【課題】カシメ片でゴム栓を端子金具に保持する保持力を高める。【解決手段】端子金具１は、銅等の金属製の板材を折り曲げて組み上げられており、相手側タブと接続される端子箱２と、電線の被覆の端末をゴム栓と共に圧着するためのインシュレーションバレル４と、電線の被覆から剥き出された芯線の端末を圧着するためのワイヤバレル３とを備える。端子箱２は、前後両面を開口する箱形状に組み上げられており、前面の開口を相手側タブの挿入口としている。インシュレーションバレル４には、電線を挿通したゴム栓に両側から巻き付けられて、ゴム栓をカシメる一対のカシメ片４ｂが備えられている。両カシメ片４ｂは、向き合って配置されており、ゴム栓への巻付方向に沿って延びる凹溝４２を内面に備えている。【選択図】図１
2010102853.tif 000002
【特許請求の範囲】
【請求項１】
電線を挿通したゴム栓に両側から巻き付けられて、前記ゴム栓をカシメる一対のカシメ片を備えた端子金具であって、
向き合って配置された両前記カシメ片の前記ゴム栓への巻付方向に沿って延びる凹溝又は貫通孔から構成された食込部を、各前記カシメ片の内面に備えることを特徴とする端子金具。
【請求項２】
前記食込部は、前記カシメ片の基端部を両側縁から側方に延出させて、前記カシメ片と共に前記ゴム栓をカシメる底壁から、前記カシメ片の先端部にまで延びていることを特徴とする請求項１に記載の端子金具。
【発明の詳細な説明】
【技術分野】
【０００１】
本発明は、電線を挿通したゴム栓に両側から巻き付けられて、ゴム栓をカシメる一対のカシメ片を備えた端子金具に関する。
【背景技術】
【０００２】
端子金具には、下記の特許文献１に示すように、インシュレーションバレルのカシメ片で電線に外嵌されたゴム栓をカシメるものがある。特許文献１に示す端子金具は、インシュレーションバレルの内面に窪んだ引っ掛かり部が設けられており、この引っ掛かり部の段差がゴム栓に引っ掛かることで、ゴム栓の保持が図られている。
【０００３】
【特許文献１】特開２００２−１９０３４７号公報
【発明の開示】
【発明が解決しようとする課題】
【０００４】
上記端子金具は、インシュレーションバレルを基端部から内側に屈曲させて強くカシメ付けないと、ゴム栓を端子金具に保持する保持力を十分に得ることができず、ゴム栓が端子金具から脱落する虞があった。
【０００５】
本発明は斯かる課題に鑑みてなされたもので、上記課題を解決できる端子金具を提供することを目的とする。
【課題を解決するための手段】
【０００６】
このような目的を達成するために、本発明の端子金具は、電線を挿通したゴム栓に両側から巻き付けられて、前記ゴム栓をカシメる一対のカシメ片を備えた端子金具であって、向き合って配置された両前記カシメ片の前記ゴム栓への巻付方向に沿って延びる凹溝又は貫通孔から構成された食込部を、各前記カシメ片の内面に備えることを特徴とする。
また、本発明は、前記食込部が、前記カシメ片の基端部を両側縁から側方に延出させて、前記カシメ片と共に前記ゴム栓をカシメる底壁から、前記カシメ片の先端部にまで延びていることを特徴とする。
【発明の効果】
【０００７】
本発明によれば、カシメ片をゴム栓に両側から巻き付けてゴム栓をカシメる際に、ゴム栓への巻付方向に沿ってカシメ片の内面に延びた食込部にゴム栓が食い込むことで、ゴム栓を端子金具に保持するための十分な保持力を得ることができる。
【発明を実施するための最良の形態】
【０００８】
以下、図面を参照して、本発明の最良の形態を説明する。
図１は、本実施形態の端子金具を拡大して示す前方からの斜視図である。図２は、端子金具１のインシュレーションバレル４でゴム栓５の縮経部５１を圧着する方法を説明する図であり、（ａ）は前方からの斜視図，（ｂ）はインシュレーションバレル４の横断面図である。図３は、インシュレーションバレル４の変形例を説明する図である。
【０００９】
図１に示すように、端子金具１は、銅等の金属製の板材を折り曲げて組み上げられており、相手側タブと接続される端子箱２と、電線の被覆の端末をゴム栓と共に圧着するためのインシュレーションバレル４と、電線の被覆から剥き出された芯線の端末を圧着するためのワイヤバレル３とを備える。端子箱２は、前後両面を開口する箱形状に組み上げられており、前面の開口を相手側タブの挿入口としている。
【００１０】
ワイヤバレル３は、端子箱２の後方に位置しており、底壁３ａの左右の両側からカシメ片３ｂが上方に延びている。ワイヤバレル３の内面には、左右の両カシメ片３ｂ間に延びる複数（図では３つ）の凹溝３１が、前後方向に等間隔に並べて設けられている。各凹溝３１は、左側のカシメ片３ｂの上端部から底壁３ａを通って、右側のカシメ片３ｂの上端部まで延びている。凹溝３１は、ワイヤバレル３でカシメ付けられた電線の芯線を保持するためのものである。ワイヤバレル３は、底壁３ａ上の電線の芯線にカシメ片３ｂを巻き付けて、芯線をかしめ付ける。
【００１１】
インシュレーションバレル４は、ワイヤバレル３の後方に位置しており、底壁４ａの左右の両側からカシメ片４ｂが上方に延びている。インシュレーションバレル４の底壁４ａの内面には、円形の開口形状を有した貫通孔４１が設けられている。貫通孔４１は、インシュレーションバレル４の底壁４ａの中央部に位置して、インシュレーションバレル４の底壁４ａを貫通している。
【００１２】
インシュレーションバレル４の左右の両カシメ片４ｂには、上下方向に延びる１つの凹溝４２が、それぞれ設けられている。各凹溝４２は、カシメ片４ｂの上端部から貫通孔４１の近傍に位置する底壁４ａまで、互いに向き合って延びている。凹溝４２は、インシュレーションバレル４でカシメ付けられたゴム栓５を保持するためのものであり、底壁４ａ及びカシメ片４ｂの内面との角部が丸みを帯びた円弧状の断面形状を有している。
【００１３】
インシュレーションバレル４は、図２（ａ）に示すように、電線６の被覆を挿通したゴム栓５の底壁４ａ上の縮経部５１にカシメ片４ｂを巻き付け、図２（ｂ）に示すように縮経部５１を電線６と共にかしめ付ける。カシメ片４ｂにカシメ付けられた縮経部５１は、弾性変形して凹溝４２内にその一部を進入させ、カシメ片４ｂに対する位置決めがなされる。
【００１４】
以上説明したように、本実施形態によれば、ゴム栓５にカシメ片４ｂを両側から巻き付けてゴム栓５をカシメる際に、ゴム栓５への巻付方向に沿ってカシメ片４ｂの内面に延びた凹溝４２が、ゴム栓５に食い込むことで、ゴム栓５を端子金具１に保持するための十分な保持力を得ることができる。
【００１５】
また、本実施形態によれば、凹溝４２がカシメ片４ｂから底壁４ａまで達していることから、凹溝４２がカシメ片４ｂのみに設けられている場合に比べ、主面方向から加えられる外力に対するカシメ片４ｂの強度を高め、製造時や圧着時にカシメ片４ｂが変形するのを防止できる。
【００１６】
なお、上記実施形態では、各カシメ片４ｂに１本の凹溝４２が形成されている場合について説明したが、各カシメ片４ｂが備える凹溝４２の本数は任意である。また、上記実施形態では、各凹溝４２がカシメ片４ｂの上端部から底壁４ａまで延びている場合について説明したが、図３に示すように、カシメ片４ｂのみに凹溝４２が設けられていてもよい。
【００１７】
また、インシュレーションバレルでカシメるゴム栓５の構成も任意であり、例えば、縮経部５１を備えない構成としてもよい。また、上記実施形態では、食込部が凹溝４２から構成された場合について説明したが、食込部は溝から形成されているものには限られず、例えば貫通孔から構成されていてもよい。
【図面の簡単な説明】
【００１８】
【図１】本発明の一実施形態の端子金具を拡大して示す前方からの斜視図である。
【図２】図１に示す端子金具のインシュレーションバレルでゴム栓の縮経部を圧着する方法を説明する図であり、（ａ）は前方からの斜視図，（ｂ）はインシュレーションバレルの横断面図である。
【図３】インシュレーションバレルの変形例を説明する図である。
【符号の説明】
【００１９】
１        端子金具
２        端子箱
３        ワイヤバレル
３ｂ      カシメ片
４        インシュレーションバレル
４ａ      底壁
４ｂ      カシメ片
４１      貫通孔
４２      凹溝（食込部）
５        ゴム栓
５１      縮経部
６        電線
【図１】
2010102853.tif 000003
【図２】
2010102853.tif 000004
【図３】
2010102853.tif 000005